(57)【要約】【課題】  女子の柔道選手が国内大会と国際大会の両大会を１本の帯で出場することができる柔道帯を提供する。【解決手段】  柔道帯１は、帯本体１ａの表面１１または裏面９のいずれか一方の面に帯状マークである白線１０を長軸中央に設けた構成とし、白線１０は、帯本体１ａの両結び目部分６の間に設け、布地により帯本体１ａに縫い付けられている。【選択図】  図１
0003214410.tif 000002
【実用新案登録請求の範囲】
【請求項１】
帯本体の一方の面を表側にして当該柔道帯を装着した場合に前記一方の面のうち露出する部分に帯状マークを設け、前記帯本体の他方の面を表側にして当該柔道帯を装着した場合に前記他方の面のうち露出する部分には前記帯状マークを設けないことを特徴とする柔道帯。
【請求項２】
請求項１において、
前記帯状マークは、前記帯本体の両結び目部分の間に設けたことを特徴とする柔道帯。
【請求項３】
請求項１及び２のいずれか１項において、
前記帯状マークは、布地により前記帯本体に縫い付けられていることを特徴とする柔道帯。
【請求項４】
請求項１及び２のいずれか１項において、
前記帯本体の表生地の染色により前記帯状マークを表示させることを特徴とする柔道帯。
【請求項５】
請求項１乃至４のいずれか１項において、
前記帯状マークは、白線、模様、前記帯本体の表生地色と異なる色であることを特徴とする柔道帯。
【考案の詳細な説明】
【技術分野】
【０００１】
本考案は、柔道帯に係り、特に、女子の柔道選手が国内大会と国際大会の両大会を１本の帯で出場することができる柔道帯に関する。
【背景技術】
【０００２】
柔道のルールは、国内ルール（講道館柔道試合審判規定）と、国際規定・国際ルール（国際柔道連盟試合審判規定）が併存している。国内ルールにおいて、帯は結び目から両端まで２０[cm]程度の余裕のある長さの物で、女子は長軸中央に約５分の１幅の白線を入れることが規定されている。これに対し、国際ルールでは男女とも同じものを用いることになっている（非特許文献１）。
【先行技術文献】
【非特許文献】
【０００３】
【非特許文献１】“講道館柔道試合審判規定”、［online］、平成２９年１０月２５日、東建コーポレーション株式会社、［平成２９年１０月２５日検索］、インターネット＜URL：http://www.judo-ch.jp/koudoukan_judge/hukusou/＞
【考案の概要】
【考案が解決しようとする課題】
【０００４】
ところで、国内の柔道大会だけではなく、国際大会に出場する女子の柔道選手は、白線入りの柔道帯と、白線の入っていない柔道帯の両方を用意しなければならなかった。
【０００５】
そこで、本考案は、このような従来の技術の有する未解決の課題に着目してなされたものであって、女子の柔道選手が国内大会と国際大会の両大会を１本の帯で出場することができる柔道帯を提供することを目的としている。
【課題を解決するための手段】
【０００６】
〔考案１〕  上記目的を達成するために、考案１の柔道帯は、帯本体の一方の面を表側にして当該柔道帯を装着した場合に前記一方の面のうち露出する部分に帯状マークを設け、前記帯本体の他方の面を表側にして当該柔道帯を装着した場合に前記他方の面のうち露出する部分には前記帯状マークを設けない。
【０００７】
〔考案２〕  さらに、考案２の柔道帯は、考案１の柔道帯において、前記帯状マークは、前記帯本体の両結び目部分の間に設けた。
【０００８】
〔考案３〕  さらに、考案３の柔道帯は、考案１及び２のいずれか１の柔道帯において、前記帯状マークは、布地により前記帯本体に縫い付けられている。
【０００９】
〔考案４〕  さらに、考案４の柔道帯は、考案１及び２のいずれか１の柔道帯において、前記帯本体の表生地の染色により前記帯状マークを表示させる。
【００１０】
〔考案５〕  さらに、考案５の柔道帯は、考案１乃至４のいずれか１の柔道帯において、前記帯状マークは、白線、模様、前記帯本体の表生地色と異なる色である。
【考案の効果】
【００１１】
以上説明したように、考案１の柔道帯によれば、女子の柔道選手は一方の面と他方の面を使い分けることにより、１本の柔道帯で国際ルールの試合と講道館ルールの試合に出場することができる。
【００１２】
さらに、考案２の柔道帯によれば、柔道帯を装着した場合に、結び目から両端の帯本体の両面に帯状マークが存在しないので、国際ルールの試合の際に、帯状マークが見えることがない。
【００１３】
さらに、考案３の柔道帯によれば、帯状マークをしっかりと帯本体に取り付けることができる。
【００１４】
さらに、考案４の柔道帯によれば、帯状マークをなす布地の縫製を省略することができる。また、帯状マークをなす布地がないので、指先が帯状マークの布地に引っかかることがない。
【００１５】
さらに、考案５の柔道帯によれば、帯状マークのバリエーションが豊富となり、女子の柔道選手の好みに合わせて選択することができる。
【図面の簡単な説明】
【００１６】
【図１】柔道帯１の平面図であり、（ａ）は表面、（ｂ）は裏面を示す。
【図２】図１のＡ−Ａ線に沿った拡大断面図である。
【考案を実施するための形態】
【００１７】
以下、本考案の実施形態を説明する。図１及び図２は、本実施形態を示す図である。
図１は、柔道帯１の平面図であり、（ａ）は表面、（ｂ）は裏面を示す。図２は、図１のＡ−Ａ線に沿った拡大断面図である。
【００１８】
図１及び図２において、柔道帯１は、全柔連主催大会における柔道衣及び帯ガイダンス（新規格柔道衣用：平成２６年７月）に従って、帯本体１ａが表生地２と、補強生地３と、主体芯４を順に重ね、幅方向の中央で折り畳んで構成され、折り畳まれた状態で幅方向に沿って複数の棒縫いにより縫製されている。表生地２の幅方向両端部２ａ、２ｂは内側に折り込まれている。なお、折り畳まれた主体芯４の間に副芯５を設けてもよい。
【００１９】
本実施形態において、柔道帯１の帯色は、帯本体１ａの表生地２を黒色とした黒帯を例にして説明するが、黒色に限定されるものではない。
【００２０】
柔道帯１は、帯本体１ａの結び目部分６の外端から各帯端７までの端部分８が所定の長さ（約２０[cm]）を有する。帯本体１ａの裏面９には、帯状マークである白線１０が設けられている。白線１０は、布地製で、例えば長軸中央に約５分の１幅で縫製されている。白線１０は結び目部分６の内端間に設けられ、結び目部分６の内端から各帯端７までには設けていない。
【００２１】
国際ルールの試合では、女子の柔道選手は、帯本体１ａの表面１１を表側にして柔道帯１を締め装着する。表面１１には白線１０が設けられておらず、また、結び目部分６の内端から帯端７の裏面９にも白線１０が設けられていないので、白線１０は露出しない。
【００２２】
一方、講道館ルールの試合では、女子の柔道選手は、帯本体１ａの裏面９を表側にして柔道帯１を締め装着する。裏面９には白線１０が設けられているので、白線１０が露出する。したがって、国際ルールの試合と講道館ルールの試合で１本の柔道帯１を使い分けすることができる。
【００２３】
〔変形例〕
なお、上記実施形態において、白線１０は、布地を裏面９の上に縫い付けているが、白色の表生地２の染色により白線１０と帯色の黒とを色分けするようにしてもよい。すなわち、表生地２の生地の色である白色が白線１０となるので、白線１０をなす布地の縫製を省略することができる。また、裏面９には白線１０の布地がないので、指先が白線１０の布地に引っかかることがない。
【００２４】
また、上記実施形態及びその変形例において、白線１０は帯本体１ａの裏面９に設けているが、表面１１に設けてもよい。
【００２５】
また、上記実施形態及びその変形例において、帯状マークは白線１０に限定されるものではなく、模様であってもよく、表生地２と異なる色であってもよい。すなわち、帯状マークのバリエーションが豊富となり、女子選手の好みに合わせて選択することができる。
【符号の説明】
【００２６】
１…柔道帯、  １ａ…帯本体、  ２…表生地、  ２ａ、２ｂ…端部、  ３…補強生地、  ４…主体芯、  ５…副芯、  ６…結び目部分、  ７…帯端、  ８…端部分、  ９…裏面、  １０…白線、  １１…表面
【図１】
0003214410.tif 000003
【図２】
0003214410.tif 000004